(57)【要約】【課題】ネジを使わずにラックへの取付けが可能な気流制御板を提供する。【解決手段】ＩＣＴ装置の排気の方向を制御するための気流制御板本体と、ＩＣＴ装置が収納されたラックのラックフレームのＩＣＴ装置の排気口側に設置され、ラックフレームをその両側から挟み付ける方向に弾性による圧力を作用させることで自部材をラックフレームに設置するための取付け部、および気流制御板本体の両端が差し込まれることで気流制御板本体を固定する差し込み部を含む一対の取付け部材と、を有する。【選択図】図１
2015095595.tif 000002
【特許請求の範囲】
【請求項１】
ＩＣＴ装置の排気の方向を制御するための気流制御板本体と、
前記ＩＣＴ装置が収納されたラックのラックフレームの該ＩＣＴ装置の排気口側に設置され、該ラックフレームをその両側から挟み付ける方向に弾性による圧力を作用させることで自部材を前記ラックフレームに設置するための取付け部と、前記気流制御板本体の両端が差し込まれることで該気流制御板本体を固定する差し込み部とを含む一対の取付け部材と、
を有する気流制御板。
【請求項２】
請求項１に記載の気流制御板において、
前記一対の取付け部材のそれぞれは第１、第２および第３の板を有し、
前記差し込み部は前記第３の板に設けられた溝であり、
前記取付け部は、前記溝が設けられた面を外側にして前記第３の板を介して前記第１および第２の板が対向するように接続された構成であり、
前記一対の取付け部材は、それぞれの前記第３の板に設けられた前記溝が対向するように前記ラックフレームに設置される、気流制御板。
【請求項３】
請求項２に記載の気流制御板において、
前記第１および第２の板のそれぞれは、前記第３の板と接続される側の端とは反対側の端に、該第１および第２の板に対して前記弾性による圧力の向きとは反対方向に外部から力を加えるための開閉レバーを装着するための穴が設けられている、気流制御板。
【請求項４】
請求項２または３に記載の気流制御板において、
前記溝への前記気流制御板本体の挿入口となる始点は前記第３の板の外周上に位置し、
前記溝の終点は前記第３の板の外周よりも内側に位置している、気流制御板。
【発明の詳細な説明】
【技術分野】
【０００１】
本発明は、サーバ室やマシン室において、サーバラックに搭載されたＩＣＴ（Information and Communication Technology）装置の排気方向を変更することを目的とした気流制御板に関する。
【背景技術】
【０００２】
近年、ＩＣＴ装置は高機能化・高密度化に伴い、高発熱・大風量化が進んでいる。ＩＣＴ装置は温度環境が悪化すると、熱的障害によってシステムダウンや故障が発生する。そのため、サーバ室やマシン室ではこのようなＩＣＴ装置を冷却するための空調の動力が高くなっている。一方、サーバ室やマシン室の省電力化という観点から、空調電力の削減が求められている。これら相反する要求を両立するためには、サーバ室およびマシン室におけるＩＣＴ装置の冷却効率を向上させる必要がある。
【０００３】
一般的なサーバ室においては、ＩＣＴ装置を冷却するための冷気供給手段として二重床方式が採用されている。サーバ室内に設置された空調機からの冷気は二重床下を経由し、二重床開口パネルから床上に供給する。サーバ室内には複数のサーバラックが一列に並列して設置され、各サーバラック内には複数台のＩＣＴ装置が設置されている。各ＩＣＴ装置は、自身に内蔵されたファンによって二重床から供給される冷気を吸気し、ＩＣＴ装置内を冷却する。ＩＣＴ装置の冷却に利用されて温度が上がった空気は、ＩＣＴ装置の排気口よりサーバ室内に排出される。
【０００４】
前述のようなサーバ室においてＩＣＴ装置の冷却効率を向上させるためには、あるＩＣＴ装置の排気が自身や他のＩＣＴ装置の吸気にできるだけ混入しないようにしてＩＣＴ装置の吸気温度を低く保つ必要がある。以下では、ＩＣＴ装置の吸気口が並ぶ面をサーバラックの吸気面と称し、排気口が並ぶ面をサーバラックの排気面と称する。複数のサーバラックが一列に並ぶサーバラック列においては、各サーバラックの吸気面・排気面が同一の方向を向くようにＩＣＴ装置が搭載されることが望ましい。
【０００５】
さらに、複数のサーバラック列を吸気面同士・排気面同士が対向するように設置し、吸気面が対向する通路にのみ二重床開口パネルを設け、冷気空間を形成することにより、サーバラック内のＩＣＴ装置の吸入空気には自他装置の排気が入り込みにくくなり、ＩＣＴ装置の吸気温度を低く維持することが容易になる。
【０００６】
しかし、実際には前述のようにサーバラックの吸気面同士・排気面同士が対向して配置されるとは限らず、通路を挟んで配置された２つのサーバラックのうち、一方のサーバラックの排気面と他方のサーバラックの吸気面とが対向するようにレイアウトされているケースが存在する。このような場合、前者内のＩＣＴ装置（加害装置）からの排気が後者内のＩＣＴ装置（被害装置）の吸気面に到達し、被害装置の吸気温度が上昇してしまう。
【０００７】
このように設置されたラック列において、ＩＣＴ装置からの排気（暖気）と二重床下から供給される冷気との混合を防止するための方法の一例が特許文献１に開示されている。
【先行技術文献】
【特許文献】
【０００８】
【特許文献１】特開２０１２−２２１２９４号公報
【発明の概要】
【発明が解決しようとする課題】
【０００９】
特許文献１に開示された方法では、気流を制御するためのパネルをネジ止めによりラックに固定していた。ＩＣＴ装置本体だけでなく、装置から信号を出力するための光ケーブルや装置に電力を供給するための電力配線ケーブルなどを支えるためのケーブルサポート等もラックにネジ止めされているため、パネルの固定に使用する、ラックのネジ穴が他の用途に使用されている場合、パネルをラックに取り付けられないという問題があった。
【００１０】
本発明は上述したような技術が有する問題点を解決するためになされたものであり、ネジを使わずにラックへの取付けが可能な気流制御板を提供することを目的とする。
【課題を解決するための手段】
【００１１】
上記目的を達成するための本発明の気流制御板は、
ＩＣＴ装置の排気の方向を制御するための気流制御板本体と、
前記ＩＣＴ装置が収納されたラックのラックフレームの該ＩＣＴ装置の排気口側に設置され、該ラックフレームをその両側から挟み付ける方向に弾性による圧力を作用させることで自部材を前記ラックフレームに設置するための取付け部と、前記気流制御板本体の両端が差し込まれることで該気流制御板本体を固定する差し込み部とを含む一対の取付け部材と、
を有する構成である。
【発明の効果】
【００１２】
本発明によれば、ネジが使えないラックに気流制御板を取り付けることができる。
【図面の簡単な説明】
【００１３】
【図１】本実施形態の気流制御板の一構成例を示す外観図である。
【図２】図１に示す取付け部材の構成を説明するための側面図および上面図である。
【図３】本実施形態の気流制御板をＩＣＴ装置が搭載されたサーバラックに設置した場合を示す外観図である。
【図４】図３に示したサーバラックを一方のラックフレーム側から見たときの側面透視図である。
【図５Ａ】図１および図２を参照して説明した取付け部材のラックフレームへの取り付け方法を説明するための外観図である。
【図５Ｂ】図１および図２を参照して説明した取付け部材のラックフレームへの取り付け方法を説明するための上面図である。
【図６】図５Ａおよび図５Ｂに示した取付け部材をラックフレームに取り付けた状態を示す外観図である。
【図７】図６に示した取付け部材に気流制御板本体を取り付ける方法を説明するための外観図である。
【発明を実施するための形態】
【００１４】
本実施形態の気流制御板の構成を説明する。
【００１５】
図１は本実施形態の気流制御板の一構成例を示す外観図である。図２は図１に示す取付け部材の構成を説明するための側面図および上面図である。なお、説明のために、各図に示すようにＸ軸、Ｙ軸およびＺ軸を定義する。
【００１６】
図１に示すように、気流制御板１０は、一対の取付け部材１１ａ、１１ｂと、気流制御板本体１２と、を有する。気流制御板本体１２は取付け部材１１ａ、１１ｂの間に配置される。気流制御板本体１２は板またはシート状の部材で構成される。
【００１７】
取付け部材１１ａ、１１ｂのそれぞれは、板５１ａ、５１ｂおよび板５２を有する。板５１ａ、５１ｂのそれぞれの先端のはさみ口５６には、後述の開閉レバー（不図示）を取り付けるための穴が設けられている。
【００１８】
図２（ａ）は取付け部材１１ｂをＸ軸方向から見たときの側面図であり、図２（ｂ）および図２（ｃ）は取付け部材１１ｂをＺ軸方向から見たときの上面図である。なお、取付け部材１１ａは取付け部材１１ｂと同様な構成であるため、取付け部材１１ａを図に示すことを省略している。
【００１９】
図１に示した取付け部材１１ａ、１１ｂのそれぞれの板５２は互いに対向する面に、図２（ａ）に示すように、気流制御板本体１２の両端を差し込むための溝５５が設けられている。溝５５は気流制御板本体１２を固定するための差し込み部に相当する。溝５５が板５２に彫られているため、板５２は板５１ａ、５１ｂに比べて板の厚みが大きい。
【００２０】
図２（ａ）に示す構成では、溝５５の始点５７は、長方形状の板５２のＺ軸に平行な２つの長辺のうち、一方の長辺と上側の短辺とが交わる頂点に位置している。始点５７は気流制御板本体１２の挿入口となる。図２（ａ）では始点５７が頂点の場合を示しているが、始点５７は頂点に限らず、長辺上および上側の短辺上など外周上にあればよい。
【００２１】
溝５５は始点５７から図の斜め下方に伸びている。溝５５の終点５８は他方の長辺および下側の短辺のいずれにも達しない、外周よりも内側に位置している。Ｙ軸方向を基準とした溝５５の角度は、図２（ａ）に示す傾きに限定されない。
【００２２】
気流制御板本体１２の両端のうち、一方の端を取付け部材１１ａの溝５５に差し込み、他方の端を取付け部材１１ｂの溝５５に差し込んで、気流制御板本体１２を溝５５に沿ってスライドして挿入することで、図１に示すように、気流制御板本体１２が取付け部材１１ａ、１１ｂに装着される。このとき、気流制御板本体１２の下端が溝５５の終点５８までしか挿入されず、終点５８が外周よりも内側なので、気流制御板本体１２が落下するのを防ぐことができる。
【００２３】
図２（ｂ）の上面図に示すように、取付け部材１１ｂをＺ軸方向から見ると、取付け部材１１ｂは、溝５５が設けられた面を外側にして板５２を介して板５１ａ、５１ｂが対向するように接続された構成である。本実施形態では、説明のために、取付け部材１１ｂが板５１ａ、５１ｂおよび板５２で構成される部材としているが、一つの板状部材を用いて、その板状部材の２箇所を曲げて、図２（ｂ）に示すように、断面が板５２を底辺とする三角形になるように取付け部材１１ｂを作製してもよい。
【００２４】
取付け部材１１ａ、１１ｂは弾性部材で構成され、外部から力が加えられていない状態では、図２（ｂ）に示すように、板５１ａ、５１ｂのそれぞれのはさみ口５６が閉じている。取付け部材１１ｂは、板５１ａ、５１ｂに外部から力が加えられることで、図１に示すように、はさみ口５６が開いた状態になる。なお、取付け部材１１ｂに外部から力を加えてはさみ口５６を開いた状態にする方法の一例は、後で詳しく説明する。
【００２５】
はさみ口５６が開いた状態では、取付け部材１１ｂは、自部材の弾性により、はさみ口５６を閉じようとする力が生じる。そのため、はさみ口５６を開いた板５１ａ、５１ｂの間にラックフレーム２１を挿入した状態で、外部から加える力をなくすと、図２（ｃ）に示すように、弾性による圧力の作用により、取付け部材１１ｂは板５１ａ、５１ｂでラックフレーム２１を強く挟む。板５１ａ、５１ｂは取付け部材１１ｂをラックフレーム２１に設置するための取付け部に相当する。
【００２６】
次に、上述した気流制御板１０をＩＣＴ装置のラックフレームに取り付けた場合を説明する。
【００２７】
図３は本実施形態の気流制御板をＩＣＴ装置が搭載されたサーバラックに設置した場合を示す外観図である。
【００２８】
図３に示すように、サーバラックは、ラックフレーム２１ａ、２１ｂと、ラックマウントフレーム２２と、を有する。ＩＣＴ装置３１は、２つのラックマウントフレーム２２の間に配置され、ラックマウントフレーム２２によって支持されている。
【００２９】
図３に示すように、図１および図２を参照して説明した気流制御板１０がラックフレーム２１ａ、２１ｂのＩＣＴ装置３１の排気口側に設置されている。図３では、ＩＣＴ装置３１の排気口３２の大きさに対応して、３つの気流制御板１０がラックフレーム２１ａ、２１ｂに設置されている場合を示す。３つの気流制御板１０のそれぞれの取付け部材１１ａがラックフレーム２１ａに設置され、取付け部材１１ｂがラックフレーム２１ｂに設置されている。
【００３０】
気流制御板本体１２のサイズは、気流制御板本体１２を取付け部材１１ａ、１１ｂに装着したときに、横幅（図３のＸ軸方向の長さ）がラックフレーム２１ａとラックフレーム２１ｂの間の長さに相当し、図２（ａ）に示した溝５５に沿った方向の長さが取付け部材１１ａ、１１ｂからはみ出さない長さになっている。そのため、気流制御板１０がサーバラック列間の通路に張り出すことがなく、サーバラック列間の通路を通る作業者の安全性とサーバの保守性を確保できる。
【００３１】
図４は図３に示したサーバラックをラックフレーム２１ａ側から見たときの側面透視図である。図３に示したように、ＩＣＴ装置３１の排気口３２の大きさに合わせて複数の気流制御板１０を取り付けることで、図４に示すように、ＩＣＴ装置３１の排気口３２からの排気の流れを図４の符号４５に示す矢印方向に制御することができる。
【００３２】
サーバラックが背景技術で説明した二重床の上に設置されていれば、上述のようにＩＣＴ装置からの排気(暖気)の方向を斜め上向きにして、二重床下から供給される冷気の進行方向との角度差を小さくすることで、暖気と冷気との混合を抑制することができる。
【００３３】
次に、本実施形態の気流制御板１０について、図３に示したラックフレーム２１ａ、２１ｂへの取り付け方法の手順の一例を、図５Ａから図７を参照して説明する。
【００３４】
図５Ａおよび図５Ｂは図１および図２を参照して説明した取付け部材のラックフレームへの取り付け方法を説明するための図である。図５Ａは取付け部材１１ｂの外観図であり、図５Ｂは取付け部材１１ｂの上面図である。ここでも、取付け部材１１ａは取付け部材１１ｂと同様な構成であるため、取付け部材１１ａの詳細な説明を省略する。
【００３５】
図５Ａ（ａ）および図５Ｂ（ａ）は、取付け部材１１ｂの板５１ａ、５１ｂの先端のはさみ口５６の穴に、板５１ａ、５１ｂに対して弾性による圧力の向きとは反対方向に外部から力を加えるための開閉レバー６１ａ、６１ｂがはめ込まれた状態を示す。開閉レバー６１ａ、６１ｂは、図５Ａ（ａ）に示すように、板５１ａ、５１ｂのはさみ口５６の穴にはめ込まれている側とは反対側の、作業者が指で力を加えるつまみの部分が「輪形状」になっている。図５Ａ（ａ）および図５Ｂ（ａ）に示す構成により、取付け部材１１ａ、１１ｂは文房具のクリップと同様な機能を有することとなる。
【００３６】
はじめに、作業者は、図５Ａ（ａ）および図５Ｂ（ａ）に示す取付け部材１１ｂの開閉レバー６１ａ、６１ｂのそれぞれの輪形状の部分を互いに近づける方向に力を加える。つまり、作業者は図５Ａ（ｂ）および図５Ｂ（ｂ）に示す矢印の方向に力を加える。その結果、図５Ｂ（ｂ）に示すＥを力点とし、図５Ｂ（ｂ）に示すＦを支点とし、はさみ口５６を作用点とする「てこの原理」による力が、板５１ａ、５１ｂに対して弾性による圧力とは反対方向に働く。そのため、作業者に対して大きな力を必要とせず、板５１ａ、５１ｂのはさみ口５６が閉じた状態から開いた状態になる。このようにして、取付け部材１１ｂはラックフレーム２１ｂへの取り付けが可能な状態となる。
【００３７】
続いて、作業者は、図５Ａ（ｂ）および図５Ｂ（ｂ）に示す状態で板５１ａ、５１ｂの間にラックフレーム２１ｂを挟み込むように、取付け部材１１ｂを図３に示したラックフレーム２１ｂに差し込む。その後、作業者が開閉レバー６１ａ、６１ｂのはさみ口５６に近いところで、図５Ａ（ｃ）に示す矢印の方向（Ｚ軸方向）に力を加えて、はさみ口５６の穴から開閉レバー６１ａ、６１ｂを外す。その結果、図５Ｂ（ｃ）に示すように、取付け部材１１ｂはラックフレーム２１ｂに取り付けられた状態になる。
【００３８】
図６は図５Ａおよび図５Ｂに示した取付け部材をラックフレームに取り付けた状態を示す外観図である。作業者が取付け部材１１ａを、図５Ａ（ｃ）および図５Ｂ（ｃ）に示した取付け部材１１ｂと同様に、ラックフレーム２１ａに取り付ける。図６に示すように、溝５５が対向するように、取付け部材１１ａがラックフレーム２１ａに固定され、取付け部材１１ｂがラックフレーム２１ｂに固定される。取付け部材１１ａ、１１ｂの固定は、自身の弾性と、取付け部材１１ａ、１１ｂとラックフレーム２１ａ、２１ｂとの間の摩擦力による。
【００３９】
図７は図６に示した取付け部材に気流制御板本体を取り付ける方法を説明するための外観図である。作業者は、図６に示した取付け部材１１ａ、１１ｂに、図７に示すように、気流制御板本体１２を溝５５に沿ってスライドさせ、矢印方向に挿入する。図５Ａから図７を参照して、一つの気流制御板１０をラックフレーム２１ａ、２１ｂに設置する場合を説明したが、複数の気流制御板１０を設置する場合には、作業者は、その数に応じて上述した手順で実行すればよい。
【００４０】
本実施形態によれば、ＩＣＴ装置の排気口側のラックフレームをはさみ込むように一対の取付け部材が設置され、一対の取付け部材に設けられた差し込み部に気流制御板本体がスライドして装着される。そのため、ラックに対してネジ止めすることなく気流制御板をラックに固定することが可能となり、煩雑な加工を行うことなく、気流制御板の設置位置に関する自由度を高めることが可能となる。
【００４１】
また、磁力や粘着剤での固定や押し込む取り付け方法と比較して、より確実に気流制御板を取り付けることが可能となる。
【００４２】
さらに、通路を挟んで配置された２つのサーバラックのうち、一方のラックの排気面と他方のラックの吸気面とが対向するようにレイアウトされていても、ラックに対してネジ止めや溶接等を行うことなく気流制御板を設置することが可能であり、ラックに収納されたＩＣＴ装置から排出される排気を、対抗するラックに収納されたＩＣＴ装置に到達させずにサーバ室上方に誘導させることができる。
【符号の説明】
【００４３】
１０    気流制御板
１１ａ、１１ｂ    取付け部材
１２    気流制御板本体
５１ａ、５１ｂ、５２    板
５５    溝
【図１】
2015095595.tif 000003
【図２】
2015095595.tif 000004
【図３】
2015095595.tif 000005
【図４】
2015095595.tif 000006
【図５Ａ】
2015095595.tif 000007
【図５Ｂ】
2015095595.tif 000008
【図６】
2015095595.tif 000009
【図７】
2015095595.tif 000010